(57)【要約】【課題】  感光体ベルトのスラスト方向の寄りを規制するために、付けられている寄り止めガイドを導電性にして使用しこの部分にアースブラシを当てることによって、ニッケルへのダメージをなくし、感光体ベルトの長寿命化を図る画像形成装置を提供する。【解決手段】  シアン、マゼンタ、イエロー、ブラックの４色の現像器（５Ｃ、５Ｍ、５Ｙ、５Ｋ）を有し、感光体ベルトを回転搬送する駆動ローラ１１、従動ローラ１２、テンションローラ１３を有し、感光体ユニットのフレームが金属で構成され、駆動方向の両側部に寄り止めガイド１６が設けられる画像形成装置において、前記感光体ベルト１の前記寄り止めガイド１６の材質を導電性として、前記寄り止めガイド１６にアースブラシ１５を当てた。【選択図】  図１
2005181696.tif 000002
【特許請求の範囲】
【請求項１】
シアン、マゼンタ、イエロー、ブラックの４色の現像器を有し、感光体ベルトを回転搬送する駆動ローラ、従動ローラ、テンションローラを有し、感光体ユニットのフレームが金属で構成され、駆動方向の両側部に寄り止めガイドが設けられる画像形成装置において、前記感光体ベルトの寄り止めガイドの材質を導電性として、前記寄り止めガイドにアースブラシを当てて、接地手段としていることを特徴とする画像形成装置。
【請求項２】
上記寄り止めガイドに導電性弾性体を使用したことを特徴とする請求項１記載の画像形成装置。
【請求項３】
上記導電性弾性体寄り止めガイドに導電性のゴムを使用したことを特徴とする請求項１記載の画像形成装置。
【発明の詳細な説明】
【技術分野】
【０００１】
本発明は、ＰＰＣ、ＬＢＰ等の電子写真方式の画像形成装置に関するものである。
【背景技術】
【０００２】
電子写真方式を用いたカラー画像形成装置において、感光体に４色の現像器を用いて現像する方法はいくつも提案されているが、その中でベルト感光体に対して４色の現像器が順番に接離して現像する方式がある（例えば特許文献１ないし３参照）。
【特許文献１】特開平０５−１５０５６８号公報
【特許文献２】特開平０８−０６３０４４号公報
【特許文献３】特開平０８−１１０６６８号公報
【発明の開示】
【発明が解決しようとする課題】
【０００３】
図３は従来のユニットの感光体ベルト近傍を示す概略図である。感光体ベルト１の裏側にはアースをとるためにアースブラシ１５が設置されている。この場合、アースブラシ１５は感光体ベルト１に直接接しているため、感光体ベルト１裏側を傷つけることなり、破損の恐れが生じる。
すなわち、感光体ベルト１に対して４色の現像器が順番に接離して現像する方式を用いた場合、感光体ベルト１を駆動する駆動ローラ１１とその下流に位置する従動ローラ１２の間の感光体ベルト１に対向する位置に現像器５（５Ｙ、５Ｍ、５Ｃ、５Ｋ）が位置することとなる。
通常ニッケル電鋳等金属を基材（厚さ３０〜４０μｍ）とした感光体ベルトはその感光体ベルトのアースをベルトの裏側からとる。また、アースを取る部材としてアースブラシを用いるが、通常材質としてステンレス等の金属を添加しているものが多く使用される。
この場合、長時間アースブラシをニッケルである感光体に当てつづけると、ニッケルが磨耗し、スジが発生する（ニッケルが削れる）。このためこの部分が画像領域内であると異常画像になり、またニッケル層は薄いため、亀裂の原因となる。
そこで本発明の目的は、上述した実情に考慮してなされたもので、感光体ベルトのスラスト方向の偏りを規制するために、付けられている寄り止めガイドを導電性にして使用しこの部分にアースブラシを当てることによって、ニッケルへのダメージをなくし、感光体ベルトの長寿命化を図る画像形成装置を提供することにある。
【課題を解決するための手段】
【０００４】
上記の課題を解決するために、請求項１に記載の発明は、シアン、マゼンタ、イエロー、ブラックの４色の現像器を有し、感光体ベルトを回転搬送する駆動ローラ、従動ローラ、テンションローラを有し、感光体ユニットのフレームが金属で構成され、駆動方向の両側部に寄り止めガイドが設けられる画像形成装置において、前記感光体ベルトの寄り止めガイドの材質を導電性として、前記寄り止めガイドにアースブラシを当てて、接地手段が配設されている画像形成装置を特徴とする。
また、請求項２に記載の発明は、上記寄り止めガイドに導電性弾性体を使用した請求項１記載の画像形成装置を特徴とする。
また、請求項３に記載の発明は、上記導電性弾性体寄り止めガイドに導電性のゴムを使用した請求項１記載の画像形成装置を特徴とする。
【発明の効果】
【０００５】
本発明によれば、感光体ベルトのアースを取るのに直接アース部材と接触しないので感光体ベルト１を傷つけることが無く、ベルトの寿命を延ばすことができる。
【発明を実施するための最良の形態】
【０００６】
以下、図面を参照して、本発明の実施形態を詳細に説明する。図１は本発明の実施形態の一つであるカラー画像形成装置を示す概略図である。図１において、ベルト状像担持体は可撓性のベルト状感光体１として設けられる。
感光体ベルト１は、回動ローラ（駆動ローラ）１１、回動ローラ（従動ローラ）１２、回動ローラ（テンションローラ）１３間に架設され、回動ローラ１１の回転駆動により図中矢印Ａ方向（時計方向）に搬送される。
符号３は感光体ベルト１表面を均一に帯電する帯電手段である帯電チャージャ、符号７は静電像露光手段であるレーザ書き込み系ユニットである。また、符号５（５Ｙ、５Ｍ、５Ｃ、５Ｋ）はイエロー、マゼンタ、シアン、黒の現像剤（トナー）を有する４つの現像器からなるカラー現像装置である。
さらに、符号６は中間転写体である中間転写ベルトユニットであり、このユニットの中間転写ベルト１７は回動ローラ１８、１９、２０、２１、２２の間に架設され、回動ローラ６２の回転駆動により図中矢印Ｂ方向（反時計方向）に搬送される。
感光体ベルト１と中間転写ベルト１７は感光体ベルト１の回動ローラ１３の部分で接触している。この接触部分の中間転写ベルト１７側には、導電性を有するバイアスローラ２０が中間転写ベルト１７裏面に所定の条件で接触している。
【０００７】
ここで、本発明の実施の形態であるカラー画像形成装置の画像形成動作について説明する。図１において、感光体ベルト（潜像担持体）１は帯電チャージャ３により一様に帯電された後、レーザ光学装置７により、画像情報に基づき走査露光されて表面に静電潜像が形成される。
ここで、露光する画像情報は所望のフルカラー画像をイエロー、シアン、マゼンタ、および黒の色情報に分解した単色の画像情報である。この情報により半導体レーザ（図示せず）で発生されたレーザビームＬは、図示を省略した光学装置により走査、および光路調整されたものである。
ここで形成された静電潜像は、後述する回転型現像装置５により各々所定のイエロー、シアン、マゼンタ、および黒トナーで各々単色現像され、感光体ベルト１上に各々の色画像が順次形成される。
図中矢印Ａ方向に回転する感光体ベルト１上に形成された各単色画像像は、感光体ベルト１と同期して図中矢印Ｂ方向に回転する中間転写ベルト１７上に、イエロー、シアン、マゼンタ、および黒の単色毎に、バイアスローラ２０に印加された所定の転写バイアスにより順次重ね転写される。
転写後感光体ベルト１は除電ランプ２８から発光された光を支持体２９で反射した光によって照射され、残留電位を除電される。中間転写ベルト１７上に重ね合わされたイエロー、シアン、マゼンタ、および黒の画像は、給紙台（給紙カセット）８からの転写紙上に転写される。
転写紙Ｐは、給紙ローラ２３、搬送ローラ対２４ａ、２４ｂ、レジストローラ対２５ａ、２５ｂを経て転写部へ搬送され、転写ローラ９により一括転写される。転写終了後、転写紙は定着装置２６により定着されて、フルカラー画像が完成し、装置外へ排出される。
また感光体ベルト１に残留したトナーはクリーニングブレード４によって掻き落とされ、中間転写ベルト１７に残留したトナーはクリーニング部２７によって回収される。導電体層とアース間に接地導電路が形成されている。
【０００８】
図２は感光体ベルトの寄り止めを説明する概略図である。図２に示すように感光体ベルト１はローラ１１、１２、１３の回転によって回動するが、そのさいに幅方向何れか一方に偏位していく。
このため感光体ベルト１の幅方向端部の周方向に寄り止めガイドを設けて、回動ローラ１１、１２、１３の端部に当たることによって感光体ベルト１がそれ以上寄ることを規制している。寄り止めガイドとして導電性弾性体を、かつまた寄り止めガイドに導電性のゴムを使用することができる。
感光体ベルト１は矢印方向に回転しており、各色の現像器５Ｋ、５Ｃ、５Ｙ、５Ｍは現像のさいに矢印方向に動き接離することによって現像する。感光体ベルト１の裏側の寄り止めガイド１６（導電性）の位置（画像形成領域外）にアースブラシ１５を設置し、この導電性の寄り止めガイド１６を介して、感光体ベルト１のアースをとる。
感光体ベルト１のアースを取るのに直接アース部材と接触しないので感光体ベルト１を傷つけることが無く、かつ弾性体を寄り止めガイドに使用するので、ベルト搬送時における寄り止めガイドへのダメージもなく、ベルトの寿命を延ばすことができる。
【図面の簡単な説明】
【０００９】
【図１】本発明の１つの実施の形態であるカラー画像形成装置を示す概略図である。
【図２】感光体ベルトの寄り止めを説明する概略図である。
【図３】従来のユニットの感光体ベルト近傍を示す概略図である。
【符号の説明】
【００１０】
１  感光体ベルト
５Ｃ  現像器（シアン）
５Ｋ  現像器（ブラック）
５Ｍ  現像器（マゼンタ）
５Ｙ  現像器（イエロー）
１１  回動ローラ（駆動ローラ）
１２  回動ローラ（従動ローラ）
１３  回動ローラ（テンションローラ）
１５  アースブラシ
１６  寄り止めガイド
【図１】
2005181696.tif 000003
【図２】
2005181696.tif 000004
【図３】
2005181696.tif 000005